(57)【要約】    【課題】  製造コストを低減させることができるファインダ装置を提供する。    【解決手段】  ファインダ装置４００は、対物光学系ユニット１００と、接眼光学系ユニット２００とから構成されたファインダユニット３００を備える。接眼光学系ユニット２００は、ファインダ地板１３と、ダハプリズム１４と、接眼レンズ１５と、視野枠体１６と、固定ゴム３０とを備える。固定ゴム３０は、弾性部材から成るゴム材で構成され、ダハプリズム１４と視野枠体１６の間に配置され、ダハプリズム１４と視野枠体１６の間の空間を密閉する。【選択図】      図１１
2006099019.tif 000002
【特許請求の範囲】
【請求項１】
所定の光が透過する第１のプリズム光学系と、前記第１のプリズム光学系を透過した光が透過する第２のプリズム光学系と、前記第１のプリズム光学系と前記第２のプリズム光学系の間に設けられ且つ視野範囲を規定するための開口部が形成された枠体とから成るファインダ光学系を備えるファインダ装置において、
前記ファインダ光学系は、前記第１のプリズム光学系と前記枠体の間の第１の空間、及び前記第２のプリズム光学系と前記枠体の間の第２の空間の少なくとも一方を密閉する弾性部材を備えることを特徴とするファインダ装置。
【請求項２】
前記弾性部材は、前記枠体とは別体的に構成され、前記第１の空間を密閉する第１の弾性部材と、前記第２の空間を密閉する第２の弾性部材とから成ることを特徴とする請求項１記載のファインダ装置。
【請求項３】
前記第１の弾性部材は、そのチャージ量が前記第２の弾性部材のチャージ量と異なることを特徴とする請求項２記載のファインダ装置。
【請求項４】
前記第１の弾性部材は、その硬度が前記第２の弾性部材の硬度と異なることを特徴とする請求項２又は３記載のファインダ装置。
【請求項５】
前記枠体は前記弾性部材から成ることを特徴とする請求項１記載のファインダ装置。
【請求項６】
前記弾性部材は、前記第１のプリズム光学系及び前記第２のプリズム光学系と当接する板状の当接部を有し、前記当接部は、その厚さが前記開口部における前記光の進行方向の長さと異なることを特徴とする請求項５記載のファインダ装置。
【請求項７】
前記枠体は、前記第１のプリズム光学系及び前記第２のプリズム光学系と当接する板状の当接部と、前記開口部が形成された板状部材とから成り、前記当接部は、その硬度が前記板状部材の硬度と異なることを特徴とする請求項５又は６記載のファインダ装置。
【請求項８】
前記弾性部材はゴム材から構成されることを特徴とする請求項１乃至７のいずれか１項に記載のファインダ装置。
【発明の詳細な説明】
【技術分野】
【０００１】
本発明は、ファインダ装置に関し、特に、少なくとも２つのプリズム光学系を備える光学ファインダ装置に関する。
【背景技術】
【０００２】
従来、コンパクトカメラや簡易型のカメラ一体型ＶＴＲ（video tape recorder）に適用されるファインダ装置は、そのファインダ装置の筐体内に、対物レンズ、光を屈折する複数のプリズム、及び接眼レンズが配置されている。ファインダ装置において、筐体内に入射した被写体像の光が、対物レンズを介して複数のプリズムに入射し、該複数のプリズムを介して出射した光が接眼レンズに入射することにより、接眼レンズの近傍に設けられた接眼部に被写体像が導かれる。
【０００３】
このようなファインダ装置におけるプリズムの保持方法として、プリズムを組み込むための保持枠とプリズムの側面の間に保持枠に固定される保持バネを遊挿し、保持枠に組み込まれたプリズムの上方から保持枠に装着されるプリズムカバーの内面にプリズムの頂部と当接するゴム（ラバー）を貼付し、プリズムを保持枠に組み込み、これにプリズムカバーを装着することが提案されている（例えば、特許文献１参照）。この保持方法によれば、プリズムは、チャージ（蓄積）された保持バネ及びゴムの弾性力により、保持バネに固定された保持枠及びゴムが貼付されたプリズムカバーに向かって付勢されてそれらに保持される。
【特許文献１】特開２００１−２０９０９１号公報（第４−５頁、図１−図５）
【発明の開示】
【発明が解決しようとする課題】
【０００４】
しかしながら、上記プリズム保持方法では、プリズムを保持するための部品の数が多く、組立て工数が多いので、ファインダ装置の製造コストが増大する。
【０００５】
また、プリズムと当接する部分、即ち上記保持バネやゴムは、部分的に設けられたものであるので、プリズムと保持枠の間やプリズムとプリズムカバーの間に空間を形成することになる。その結果、ファインダ装置の光路内に外部からゴミや微小な埃等の異物が侵入して、ユーザが接眼部から覗いたときには被写体像の他に異物が見えることになるので、ファインダ装置は良好な被写体像が得ることができない。
【０００６】
本発明の第１の目的は、プリズムを保持するための部品の数を低減させて、製造コストを低減させることができるファインダ装置を提供することにある。
【０００７】
本発明の第２の目的は、ファインダ装置の光路内へ外部からの異物の侵入を確実に防止して、良好な被写体像を得ることができるファインダ装置を提供することを目的とする。
【課題を解決するための手段】
【０００８】
上記第１及び第２の目的を達成するために、本発明のファインダ装置は、所定の光が透過する第１のプリズム光学系と、前記第１のプリズム光学系を透過した光が透過する第２のプリズム光学系と、前記第１のプリズム光学系と前記第２のプリズム光学系の間に設けられ且つ視野範囲を規定するための開口部が形成された枠体とから成るファインダ光学系を備えるファインダ装置において、前記ファインダ光学系は、前記第１のプリズム光学系と前記枠体の間の第１の空間、及び前記第２のプリズム光学系と前記枠体の間の第２の空間の少なくとも一方を密閉する弾性部材を備えることを特徴とする。
【発明の効果】
【０００９】
本発明のファインダ装置によれば、弾性部材が第１のプリズム光学系と前記枠体の間の第１の空間、及び前記第２のプリズム光学系と前記枠体の間の第２の空間の少なくとも一方を密閉するので、プリズムを保持するための部品の数を低減させて、製造コストを低減させることができる。また、ファインダ装置の光路内への外部からの異物の侵入を確実に防止して、良好な被写体像を得ることができる。
【発明を実施するための最良の形態】
【００１０】
以下、本発明の実施の形態を図面を参照しながら詳細に説明する。
【００１１】
図１は、本発明の第１の実施の形態に係るファインダ装置が備える対物光学系ユニットの構成を示す分解斜視図である。
【００１２】
本実施の形態に係るファインダ装置は、例えば、コンパクトカメラや簡易型のカメラ一体型ＶＴＲなどに適用される後述する図１５のファインダ装置４００から成る。
【００１３】
図１において、ファインダ装置４００が備える対物光学系ユニット１００は、第１のファインダ地板１と、被写体像の光などの観察光が入射する第１の対物レンズ２、並びにその光軸方向に移動可能で且つ成型（変形）可能な第２の対物レンズ３及び第３の対物レンズ５から成る対物光学系と、該対物光学系を介して射出された観察光を図１１で後述する接眼光学系ユニット２００に導くために偏光する三角プリズム１０と、マスク４と、レンズ間スプリング６，７と、対物光学系の光軸と平行に取り付けられる２本のガイドバー８，９と、片寄せ板バネ１１と、ファインダカバー１２とを備える。
【００１４】
第１のファインダ地板１には、対物光学系の光軸に沿う部位において、第２の対物レンズ３及び第３の対物レンズ５を収納するための対物レンズ室１ａが形成されている。
【００１５】
対物レンズ室１ａの前方（対物レンズ３側）には、前壁１ｃが設けられており、その中央部には、第１の対物レンズ２を介して射出した観察光が通過する開口部１ｄが形成されており、その下部には、２本のガイドバー８，９をそれぞれ嵌挿するための孔１ｅ，１ｆが形成されている。また、対物レンズ室１ａの外側の両側面には、片寄せ板バネ１１を係止する２つの係止爪１ｇ及び１つの係止爪１ｈ（図２）が設けられている。
【００１６】
また、第１のファインダ地板１には、プリズム１０を収納するためのプリズム室１ｂが形成されており、プリズム室１ｂの前方（対物レンズ３側）には前壁１ｉが設けられている。該前壁１ｉの中央部には、第３の対物レンズ５を介して射出された観察光が通過する開口部１ｌと、プリズム１０を嵌合するための開口部１ｍが形成されている。
【００１７】
第１の対物レンズ２は、第１のファインダ地板１の開口部１ｄに嵌合するように、前壁１ｃに装着される。前壁１ｃに装着された第１の対物レンズ２は、ファインダカバー１２に設けられている後述する２本の押圧部１２ａ，１２ｂにより第１のファインダ地板１に向かって付勢される。
【００１８】
第２の対物レンズ３は、対物レンズ室１ａ内に配置され、第２の対物レンズ３の下部においてその両側に形成された軸受孔３ａ，３ｂにはガイドバー８，９が嵌挿される。これにより、第２の対物レンズ３は、ガイドバー８，９上を摺動可能に、即ち対物光学系の光軸方向に移動可能な状態で第１のファインダ地板１に支持される。
【００１９】
軸受孔３ａ，３ｂの間において、第２の対物レンズ３の下面における略中央部には、下方に向けて突出したカムフォロア３ｃが第２の対物レンズ３と一体的に設けられている。このカムフォロア３ｃは、後述する図４のカム板２２に形成されている第１のカム溝２２ａ上を摺動可能な状態で係合する。また、第２の対物レンズ３において、カムフォロア３ｃが設けられている下面と対向する上面の左側には、上方に向けて突出した凸部３ｄが第２の対物レンズ３と一体的に設けられている。この凸部３ｄには、片寄せ板バネ１１の後述する押圧部１１ａが当接する。また、この凸部３ｄの近傍の空間において、片寄せ板バネ１１の腕部１１ｅと第２の対物レンズ３の間には、第２の対物レンズ３を成型するためのゲート３ｅが設けられている。
【００２０】
マスク４は、第１の対物レンズ２と第２の対物レンズ３の間に配置されて第２の対物レンズ３に装着される。第２の対物レンズ３に装着されたマスク４は、第２の対物レンズ３と共に対物光学系の光軸方向に移動する。このマスク４の中央部には、第１の対物レンズ２を介して射出された観察光が通過する開口部４ａが形成されている。
【００２１】
第３の対物レンズ５は、対物レンズ室１ａ内に配置される。第３の対物レンズ５の下部においてその両側に形成された軸受孔５ａ，５ｂには、ガイドバー８，９が嵌挿される。これにより、第２の対物レンズ３は、ガイドバー８，９上を摺動可能に、即ち対物光学系の光軸方向に移動可能な状態で第１のファインダ地板１に支持される。
【００２２】
軸受孔５ａ，５ｂの間において、第３の対物レンズ５の下面における略中央部には、下方に向けて突出したカムフォロア５ｃが第３の対物レンズ５と一体的に設けられている。このカムフォロア５ｃは、後述する図４のカム板２２に形成されている第２のカム溝２２ｂ上を摺動可能な状態で係合する。また、第３の対物レンズ５において、カムフォロア５ｃが設けられている下面と対向する上面の右側には、上方に向けて突出した凸部５ｄが第２の対物レンズ３と一体的に設けられている。この凸部５ｄには、片寄せ板バネ１１の押圧部１１ｂが当接する。また、この凸部５ｄの近傍の空間において、片寄せ板バネ１１の腕部１１ｆと第３の対物レンズ５の間には、第３の対物レンズ５を成型するためのゲート５ｅが設けられている。
【００２３】
レンズ間スプリング６は、第２の対物レンズ３と第３の対物レンズ５の間に配置され、一端が第２の対物レンズ３の軸受孔３ａを規定する中空のテーパ部材の外周に嵌合し、他端が第３の対物レンズ５の軸受孔５ａを規定する中空のテーパ部材の外周に嵌合する。レンズ間スプリング７は、第２の対物レンズ３と第３の対物レンズ５の間に配置され、一端が第２の対物レンズ３の軸受孔３ｂを規定する中空のテーパ部材の外周に嵌合し、他端が第３の対物レンズ５の軸受孔５ｂを規定する中空のテーパ部材の外周に嵌合する。これらレンズ間スプリング６，７のスプリング力により、カムフォロア３ｃが第１のカム溝２２ａのカム側面に確実に当接すると共に、カムフォロア５ｃが第２のカム溝２２ｂのカム側面に確実に当接する。その結果、第２の対物レンズ３及び第３の対物レンズ５をそのレンズ間隔が一定の長さであるように構成することができる。
【００２４】
ガイドバー８，９は、対物レンズ室１ａ内において対物光学系の光軸と平行に配置される。具体的には、ガイドバー８は、その一端が前壁１ｃの孔１ｆに嵌挿され、他端がプリズム室１ｂの前壁１ｉの孔１ｋに嵌挿される。ガイドバー９は、その一端が前壁１ｃの孔１ｅに嵌挿され、他端が前壁１ｉの孔１ｊに嵌挿される。これにより、ガイドバー８，９が第１のファインダ地板１に支持されるので、第２の対物レンズ３と第３の対物レンズ５も、ガイドバー８，９を介して第１のファインダ地板１に支持される。
【００２５】
プリズム１０は、プリズム室１ｂ内に収納される。プリズム室１ｂ内に収納されたプリズム１０は、ファインダカバー１２に設けられている後述する押圧部１２ｃにより第１のファインダ地板１に向かって付勢される。このプリズム１０は、第３の対物レンズ５を介して射出されてプリズム１０の入射面１０ａに導かれた観察光をプリズム１０内に入射し、入射した観察光をプリズム１０の射出面１０ｂから射出するように構成されており、射出された観察光は、後述する図１１のダハプリズム１４の入射面１４ａに導かれる。
【００２６】
片寄せ板バネ１１は、下方に向けて伸びる係止部１１ｃと、係止部１１ｃと対面する位置に形成された下方に向けて伸びる係止部１１ｄと、上記腕部１１ｅ，１１ｆとを備える。腕部１１ｅは上記押圧部１１ａを含み、腕部１１ｆは対物光学系の光軸と平行に伸びる押圧部１１ｂを含み、係止部１１ｃは、後述する先端の形状が略コの字である移動量規制部１１ｇを含む。片寄せ板バネ１１は、第１のファインダ地板１に支持された第２の対物レンズ３と第３の対物レンズ５が着実に作動することが確認された後に、対物レンズ室１ａの上面に配置され、後述する図２に示すように第１のファインダ地板１に固定される。
【００２７】
図２は、図１における線II−IIに沿う断面図であり、第１のファインダ地板１に、上記対物光学系が取り付けられ、さらに片寄せ板バネ１１が固定された状態（以下、「対物光学系のユニット状態」という）を示している。
【００２８】
図２に示すように、片寄せ板バネ１１の第１のファインダ地板１への固定は、係止部１１ｃを係止爪１ｇに係止し、次いで係止部１１ｄを係止爪１ｈに係止することにより行われる。
【００２９】
また、押圧部１１ａは、凸部３ｄと当接して第２の対物レンズ３を対物光学系の光軸と直交する方向、即ち鉛直方向に押圧する。これにより、第２の対物レンズ３の軸受孔３ａ，３ｂとガイドバー８，９の間で発生する嵌合ガタが吸収されるので、第２の対物レンズ３が対物光学系の光軸方向に移動する際の像揺れを防止することができる。また、押圧部１１ｂは、第３の対物レンズ５の凸部５ｄと当接し第３の対物レンズ５を鉛直方向に押圧する。これにより、第３の対物レンズ５の軸受孔５ａ，５ｂとガイドバー８，９の間で発生する嵌合ガタを吸収し、第３の対物レンズ５が対物光学系の光軸方向に移動する際に発生する像揺れを防止することができる。
【００３０】
図３は、図１における片寄せ板バネ１１の上面図であり、図４は、図１におけるカムフォロア３ｃ，５ｃが係合するカム板２２の上面図である。
【００３１】
図３の片寄せ板バネ１１の押圧部１１ａの対物光学系の光軸方向における長さＬ１は、図４のカム板２２の第１のカム溝２２ａに沿ってカムフォロア３ｃが第２の対物レンズ３の広角端（以下「ワイド端」という）Ｐ１から望遠端（以下「テレ端」という）Ｐ２まで移動するために必要な対物光学系の光軸方向における長さＬ４より長く設定されている。これにより、第２の対物レンズ３が移動しても、凸部３ｄが押圧部１１ａから外れないようにすることができる。
【００３２】
また、押圧部１１ｂの対物光学系の光軸方向における長さＬ２（図３）は、第２のカム溝２２ｂに沿ってカムフォロア５ｃが第３の対物レンズ５のワイド端Ｐ３からテレ端Ｐ４まで移動するために必要な対物光学系の光軸方向における長さＬ３（図４）より長く設定されている。これにより、第３の対物レンズ５が移動しても、凸部５ｄが押圧部１１ｂから外れないようにすることができる。
【００３３】
図３に示すように、腕部１１ｅは、片寄せ板バネ１１の左側の位置から右方向（観察光の進行方向）に長さＬ５だけ延伸しており、腕部１１ｆは、腕部１１ｅとは対称的に、片寄せ板バネ１１の右側の位置から左方向に長さＬ６だけ延伸している。腕部１１ｅの長さＬ５と腕部１１ｆの長さＬ６は実質的に同一の寸法である。すなわち、片寄せ板バネ１１において、腕部１１ｅと、片寄せ板バネ１１の腕部１１ｆとは、互いに対称的な位置から反対方向に延伸している。これにより、第２の対物レンズ３と第３の対物レンズ５のレンズ間隔が短い構成のファインダ装置４００でも、ファインダ装置４００を大型化することなく、押圧部１１ａの第２の対物レンズ３への押圧力と押圧部１１ｂの第３の対物レンズ５への押圧力を実質的に等しい大きさに設定することができる。
【００３４】
また、押圧部１１ａは、片寄せ板バネ１１の腕部１１ｅの下面と第２の対物レンズ３の上面との間に所定の広さの空間を形成するので、その空間に第２の対物レンズ３のゲート３ｅを容易に設けることができ、もって、ファインダ装置４００の小型化を図ることができる。また、押圧部１１ｂは、片寄せ板バネ１１の腕部１１ｆの下面と第３の対物レンズ５の上面との間に所定の広さの空間を形成するので、その空間に第３の対物レンズ５のゲート５ｅを容易に設けることができ、もって、ファインダ装置４００の小型化を図ることができる。
【００３５】
係止部１１ｃの移動量規制部１１ｇは、係止部１１ｃの先端部に一体的に設けられており、下方に向かって延伸している。移動量規制部１１ｇは、図２に示すように、第１のファインダ地板１の対物レンズ室１ａ内に進入し、さらに第２の対物レンズ３と第３の対物レンズ５が移動可能な移動領域内に進入する。これにより、以下説明するように、移動量規制部１１ｇは、第２の対物レンズ３及び第３の対物レンズ５の移動領域、即ち移動量を規制することができる。
【００３６】
図５は、図２の部分上面図であり、図６は、図５の部分側面図であり、図５及び図６は、対物光学系のユニット状態であって、レンズ間スプリング６，７により第２の対物レンズ３及び第３の対物レンズ５が超ワイド側に移動した状態を示している。この状態では、
第２の対物レンズ３がワイド端Ｐ１に位置しており、且つ第３の対物レンズ５がワイド端Ｐ３に位置している。
【００３７】
図５及び図６において、移動量規制部１１ｇは、第２の対物レンズ３と第３の対物レンズ５の間の空間に配置され、対物光学系の光軸方向における前方において第２の対物レンズ３に対面する前方端面１１ｈと、対物光学系の光軸方向における後方において第３の対物レンズ５に対面する後方端面１１ｉとを有する。
【００３８】
図６に示す移動量Ｌ７は、第２の対物レンズ３がワイド端Ｐ１の位置から移動量規制部１１ｇの前方端面１１ｈと当接する位置まで移動したときの対物光学系の光軸方向における第２の対物レンズ３の最大移動量を示しており、図４に示す長さＬ４よりも長く設定されている。また、移動量Ｌ８は、第３の対物レンズ５がワイド端Ｐ３の位置から移動量規制部１１ｇの後方端面１１ｉと当接する位置まで移動したときの対物光学系の光軸方向における第３の対物レンズ５の最大移動量を示しており、図４に示す長さＬ３よりも長く設定されている。
【００３９】
なお、移動量規制部１１ｇとしては、第２の対物レンズ３に当接する前方端面１１ｈと、第３の対物レンズ５に当接する後方端面１１ｉとを有するものを用いたが、これに代えて、２つの個別部品で構成された移動規制板を用いてもよい。
【００４０】
図７は、図５における移動量規制部１１ｇに第２の対物レンズ３が当接した状態を示す部分上面図であり、図８は、図７の部分側面図であり、図７及び図８は、対物光学系のユニット状態であって、図５に示す対物光学系の状態から第２の対物レンズ３を強制的に第３の対物レンズ５の方向に移動させたときの対物光学系の状態を示している。
【００４１】
図７及び図８に示すように、図５に示す対物光学系の状態から第２の対物レンズ３を強制的に第３の対物レンズ５の方向に移動させると、第２の対物レンズ３は移動量規制部１１ｇの前方端面１１ｈと当接する。これにより、凸部３ｄは押圧部１１ａから外れないようにすることができる。また、図７及び図８に示す状態では、レンズ間スプリング６，７のスプリング力がチャージ（蓄積）された状態にあるので、第２の対物レンズ３は、フリー状態になると第３の対物レンズ５から離れる方向に移動して、対物光学系は図５及び図６に示す状態に戻る。
【００４２】
図９は、図５における移動量規制部１１ｇに第３の対物レンズ５が当接した状態を示す部分上面図であり、図１０は、図９の部分側面図であり、図９及び図１０は、対物光学系のユニット状態であって、図５に示す対物光学系の状態から第３の対物レンズ５を強制的に第２の対物レンズ３の方向に移動させたときの対物光学系の状態を示している。
【００４３】
図９及び図１０に示すように、図５に示す対物光学系の状態から第３の対物レンズ５を強制的に第２の対物レンズ３の方向に移動させると、第３の対物レンズ５は移動量規制部１１ｇの後方端面１１ｉと当接する。これにより、凸部５ｄは押圧部１１ｂから外れないようにすることができる。また、図９及び図１０に示す状態では、レンズ間スプリング６，７のスプリング力がチャージ（蓄積）された状態にあるので、第３の対物レンズ５は、フリー状態になると第２の対物レンズ３から離れる方向に移動して、対物光学系は図５及び図６に示す状態に戻る。
【００４４】
図１に示すファインダカバー１２は、第１のファインダ地板１の対物レンズ室１ａ及びプリズム室１ｂの上面を覆うように構成されており、上記第２の対物レンズ３及び第３の対物レンズ５押圧部１２ａ，１２ｂと、上記押圧部１２ｃとを備える。押圧部１２ａ，１２ｂは、板バネから成り、第１の対物レンズ２を対物光学系の光軸方向に押圧する。押圧部１２ｃは、板バネから成り、プリズム１０を対物光学系の光軸と直交する鉛直方向に押圧する。
【００４５】
このファインダカバー１２は、第１のファインダ地板１の上面に配置され、第１のファインダ地板１の所定の部位（図１３及び図１４で後述する係止爪１ｎ，１ｏ，１ｐ，１ｑ）に係止される。これにより、ファインダカバー１２の押圧部１２ａ，１２ｂ及び押圧部１２ｃのバネ力がチャージされ、これらのチャージされたバネ力を利用することにより、第１の対物レンズ２及びプリズム１０は第１のファインダ地板１に保持される。
【００４６】
図１１は、図１の対物光学系ユニット１００を備えるファインダユニットの構成を示す分解斜視図であり、図１２は、図１１のファインダユニットが組立てられた状態を示す部分断面斜視図である。
【００４７】
図１１において、本実施の形態に係るファインダ装置４００が備えるファインダユニット３００は、上述した図１の対物光学系ユニット１００と、接眼光学系ユニット２００とから構成される。接眼光学系ユニット２００は、第２のファインダ地板１３と、ダハプリズム１４と、接眼レンズ１５と、視野枠体１６と、接眼レンズ押さえ板１７と、固定ゴム３０とを備える。
【００４８】
図１２に示すように、図１１のファインダユニット３００は、第２のファインダ地板１３に形成されたダハプリズム室１３ａ内にダハプリズム１４を収納し、固定ゴム３０を挟持した第１のファインダ地板１と第２のファインダ地板１３とを係合させることにより組立てられる。ファインダユニット３００を組立てることによって固定ゴム３０の弾性力はチャージされ、このチャージされた固定ゴム３０の弾性力によってダハプリズム１４は第２のファインダ地板１３に向かって付勢されて、それに保持される。
【００４９】
図１１に示すように、第２のファインダ地板１３には、ダハプリズム１４を収納するためのダハプリズム室１３ａが形成されている。該ダハプリズム室１３ａの後方（接眼レンズ１５側）には、後壁１３ｂが設けられ、その中央部には、ダハプリズム１４の射出面１４ｂから射出した観察光が通過する開口部１３ｃが形成されており、その上部には、接眼レンズ押さえ板１７を係止する係止爪１３ｄ，１３ｅが形成されており、また、その上部及び下部の両端部には、第１のファインダ地板１を係止する４つの係止爪１３ｆ，１３ｇ，１３ｈ，１３ｉが形成されている。
【００５０】
ダハプリズム１４は、プリズム１０の射出面１０ｃから射出した観察光をその内部に入射させる入射面１４ａと、観察光を出射する射出面１４ｂとを有する屋根状のダハ部を備える屋根型プリズム（roof prism）であり、ダハ部によって観察光の上下像が反転される。出射面１４ｂから出射した観察光は接眼レンズ１５に導かれる。
【００５１】
接眼レンズ１５は、開口部１３ｃを覆うように構成されており、後壁１３ｂに装着される。接眼レンズ１５の近傍には、ユーザが視認するための接眼部（図示せず）が設けられる。
【００５２】
視野枠体１６には、ファインダユニット３００の視野範囲を規定する形状が長方形の視野表示開口部１６ａが形成されており、視野枠体１６は、プリズム１０と固定ゴム３０の間に配置される。図１２に示すように、第１のファインダ地板１と第２のファインダ地板１３とを係合させることにより固定ゴム３０の弾性力がチャージされ、これにより視野枠体３０は第１のファインダ地板１に保持される。
【００５３】
接眼レンズ押さえ板１７には、板バネから成る２本の押圧部１７ａ，１７ｂが設けられており、接眼レンズ押さえ板１７の上部及び下部には、切り欠き部１７ｃ，１７ｄが形成されている。これらの切り欠き部１７ｃ，１７ｄを係止爪１３ｄ，１３ｅに係止することにより、接眼レンズ押え板１７の押圧部１７ａ，１７ｂのバネ力がチャージされ、押圧部１７ａ，１７ｂは、チャージされたバネ力を利用して後壁１３ｂに装着された接眼レンズ１５をその光軸方向に押圧して、第２のファインダ地板１３に保持する。
【００５４】
固定ゴム３０は、弾性部材、例えばゴム材で構成され、ダハプリズム１４と視野枠体１６の間に配置される。また、固定ゴム３０には、視野枠体１６の視野表示開口部１６ａより開口面積が広い開口部３０ａが形成されている。図１２に示すように、固定ゴム３０を挟持した第１のファインダ地板１と第２のファインダ地板１３とを係合させることにより、固定ゴム３０の弾性力がプリズム１０によって偏光された観察光の光軸の方向（以下、「偏光方向」という）にチャージされる。このチャージされた固定ゴム３０の弾性力により視野枠体１６が第１のファインダ地板１に保持されると共に、ダハプリズム１４が第２のファインダ地板１３に保持されて、固定ゴム３０は、ダハプリズム１４と視野枠体１６の間の空間（第２の空間）を密閉する。
【００５５】
なお、本実施の形態では、固定ゴム３０をダハプリズム１４と視野枠体１６の間に配置したが、これに代えて、プリズム１０と視野枠体１６の間（第１の空間）に配置してもよいし、ダハプリズム１４と視野枠体１６の間、並びにプリズム１０と視野枠体１６の間の双方に配置してもよい。
【００５６】
図１３及び図１４は、図１１のファインダユニット３００の組立方法を説明するために用いられる上面図であり、図１３は、ファインダユニット３００を組立てる前の状態を示し、図１４は、ファインダユニット３００を組立てた後の状態を示す。
【００５７】
図１３及び図１４に示すように、ファインダユニット３００の組立は、接眼光学系ユニット２００の第２のファインダ地板１３の係止爪１３ｆ，１３ｇ，１３ｈ，１３ｉを、対物光学系ユニット１００の第１のファインダ地板１に設けられている係止爪１ｎ，１ｏ，１ｐ，１ｑにそれぞれ係止することにより行われる。図１４に示すように、組立てられたファインダユニット３００においては、接眼光学系ユニット２００が対物光学系ユニット１００に支持されている。これにより、ファインダユニット３００は、例えば、コンパクトカメラや簡易型のカメラ一体型ＶＴＲなどのファインダとして機能するので、第１の対物レンズ２を介して入射した観察光に対応する被写体像をユーザは接眼レンズ１５を介して視認することができる。
【００５８】
図１５は、図１４のファインダユニット３００を備えるファインダ装置４００の分解斜視図である。
【００５９】
図１５おいて、ファインダ装置４００は、上述した図１４のファインダユニット３００と、上述した図４のカム板２２と、鏡筒ユニット２１と、駆動ユニット２６と、不図示の撮影光学系とを備える。
【００６０】
ファインダユニット３００は、カム板２２の上面に配置されて、第２の対物レンズ３のカムフォロア３ｃがカム板２２の第１のカム溝２２ａに摺動可能に係合すると共に、第３の対物レンズ５のカムフォロア５ｃがカム板２２の第２のカム溝２２ｂに摺動可能に係合する。カム板２２は、鏡筒ユニット２１の所定の面上を移動可能に構成されており、第２の対物レンズ３及び第３の対物レンズ５を対物光学系の光軸方向に進退移動させる。また、ファインダユニット３００は、ビス２５により鏡筒ユニット２１に固定される。
【００６１】
鏡筒ユニット２１は、上面に孔２７ａが形成された固定筒２７と、固定筒２７に接続し、上記撮影光学系を撮影光軸方向（対物光学系の光軸方向）に移動させるカム筒２８とを備える。
【００６２】
カム板２２には、駆動部２２ｅが設けられている。カム板２２を鏡筒ユニット２１の固定筒２７の外周面上に配置することにより、駆動部２２ｅが固定筒２７の孔２７ａを貫通してカム筒２８と当接する。これにより、カム板２２は、カム筒２８の回転に追従して固定筒２７の外周面上を移動可能に構成される。また、カム板２２とファインダユニット３００の間には、後述するスプリング２３，２４が配置され、該スプリング２３，２４のスプリング力によりカム板２２は固定筒２７の外周面上において時計方向に付勢される。
【００６３】
スプリング２３は、一端がカム板２２に設けられているフック２２ｃに係止され、他端が固定筒２７に設けられているフック２７ｂに係止される。スプリング２４は、一端がカム板２２に設けられているフック２２ｄに係止され、他端が固定筒２７に設けられているフック２７ｂ（不図示）に係止される。
【００６４】
駆動ユニット２６は、不図示のズーム切換えスイッチに接続されており、該ズーム切換えスイッチをユーザの所定の操作を介してオンに切換えることにより駆動され、ファインダ装置４００における変倍動作を実行する。
【００６５】
ファインダ装置４００における変倍動作は、ファインダ装置４００の視野の倍率を望遠端〜広角端の間で変化させるものであり、具体的には、カム筒２８を撮影光軸方向におけるテレ端〜ワイド端の間で移動させるものである。
【００６６】
例えば、カム筒２８をテレ端方向に移動させる場合には、まず、ズーム切換えスイッチを切換えて駆動ユニット２６を駆動させる。この駆動により、カム筒２８は、固定筒２７の内周に設けられているカム（不図示）の動作に追従して反時計方向に回転しながら撮影光軸方向のテレ端方向に繰り出される。このカム筒２８の回転に追従するように、カム板２２もチャージされているスプリング２３，２４のスプリング力を利用して固定筒２７の外周面上を反時計方向に移動する。カム板２２の移動により、第２の対物レンズ３はカム板２２の第１のカム溝２２ａに沿ってワイド端Ｐ１側からテレ端Ｐ２側に移動すると共に、第３の対物レンズ５はカム板２２の第２のカム溝２２ｂに沿ってワイド端Ｐ３側からテレ端Ｐ４側に移動する。第２の対物レンズ３及び第３の対物レンズ５のテレ端側への移動により、第２の対物レンズ３及び第３の対物レンズ５のレンズ間隔が短くなる（図４参照）ので、ファインダ装置４００の視野の倍率を望遠端側に変倍することができる。
【００６７】
また、カム筒２８をワイド端方向に移動させる場合には、まず、ズーム切換えスイッチを切換えて駆動ユニット２６を駆動させる。この駆動により、カム筒２８は、固定筒２７の内周に設けられている上記カムの動作に追従して時計方向に回転しながら撮影光軸方向のワイド端方向に繰り込まれる。このカム筒２８の回転に追従するように、カム板２２もチャージされているスプリング２３，２４のスプリング力を利用して固定筒２７の外周面上を時計方向に移動する。カム板２２の移動により、第２の対物レンズ３はカム板２２の第１のカム溝２２ａに沿ってテレ端Ｐ２側からワイド端Ｐ１側に移動すると共に、第３の対物レンズ５はカム板２２の第２のカム溝２２ｂに沿ってテレ端Ｐ４側からワイド端Ｐ３側に移動する。第２の対物レンズ３及び第３の対物レンズ５のワイド端側への移動により、第２の対物レンズ３及び第３の対物レンズ５のレンズ間隔が長くなる（図４参照）ので、ファインダ装置４００の視野の倍率を広角端側に変倍することができる。
【００６８】
上述したように、第１の実施の形態に係るファインダ装置４００によれば、ダハプリズム１４と視野枠体１６の間に、偏光方向に弾性力がチャージされる固定ゴム３０を配置し、チャージされた固定ゴム３０の弾性力によりダハプリズム１４を第２のファインダ地板１３に保持すると共に、視野枠体１６を第１のファインダ地板１に保持するので、ダハプリズム１４を保持するための部品の数を低減させることができると共に、容易に部品交換することができ、もって、ファインダ装置４００の製造コストを低減させることができる。
【００６９】
また、本実施の形態によれば、ダハプリズム１４及び視野枠体１６を接着する必要をなくすことができるので、接着不良を防止することができる。さらには、固定ゴム３０がダハプリズム１４と視野枠体１６の間の空間を密閉するので、ダハプリズム１４と視野枠体１６の間からファインダ装置４００の光路内へゴミや微少な埃等の異物が侵入するのを確実に防止することができ、もって、良好な被写体像を得ることができる。
【００７０】
図１６は、本発明の第２の実施の形態に係るファインダ装置のファインダユニットの構成を示す分解斜視図であり、図１７は、図１６のファインダユニットが組立てられた状態を示す部分断面斜視図である。
【００７１】
本第２の実施の形態に係るファインダ装置の構成は、上述した第１の実施の形態のファインダ装置４００の構成と実質的に同一であるので、ファインダ装置４００の構成及び要素と同一のものには、図１乃至図１５の符号と同一の符号を付与し、それらの説明を省略する。また、本ファインダ装置の動作に関しても、ファインダ装置４００と同様な動作についてはその説明を省略する。
【００７２】
図１６及び図１７は、上記図１１及び図１２に対応しており、本実施の形態において、上記第１の実施の形態と異なる構成は、プリズム１０と視野枠体１６の間に配設された防塵ゴム３１のみである。
【００７３】
防塵ゴム３１には、視野枠体１６の視野表示開口部１６ａよりも開口面積が広い開口部３１ａが形成されている。防塵ゴム３１は、所定の弾性を有するゴム材から成り、所定の圧力によりチャージされる弾性力の最大量（以下、「チャージ量」という）は、固定ゴム３０のチャージ量と異なる。図１７に示すように、防塵ゴム３１を挟持した第１のファインダ地板１と第２のファインダ地板１３とを係合させてファインダユニット３００を組立てることにより、防塵ゴム３１の弾性力が偏光方向にチャージされる。このチャージされた防塵ゴム３１の弾性力により、防塵ゴム３１はプリズム１０と視野枠体１６の間の空間を密閉する。なお、プリズム１０と視野枠体１６の間の空間には、ファインダ装置のピント面が形成される。
【００７４】
なお、防塵ゴム３１のゴム硬度が固定ゴム３０のゴム硬度と異なるように設定してもよい。これにより、防塵ゴム３１と固定ゴム３０の間においてチャージ量の差異を容易に付与することができる。
【００７５】
第２の実施の形態に係るファインダ装置によれば、上記第１の実施の形態に係るファインダ装置４００による効果と同等の効果を奏することができると共に、プリズム１０と視野枠体１６の間に防塵ゴム３１を配設し、該防塵ゴム３１がプリズム１０と視野枠体１６の間の空間、即ちピント面を含む空間を密閉するので、プリズム１０と視野枠体１６の間からファインダ装置の光路内へゴミや微少な埃等の異物が侵入するのを防止して、より良好な被写体像を得ることができる。
【００７６】
図１８は、本発明の第３の実施の形態に係るファインダ装置のファインダユニットの構成を示す分解斜視図であり、図１９は、図１８のファインダユニットが組立てられた状態を示す部分断面斜視図である。
【００７７】
本第３の実施の形態に係るファインダ装置の構成は、上述した第１の実施の形態のファインダ装置４００の構成と実質的に同一であるので、ファインダ装置４００の構成及び要素と同一のものには、図１乃至図１５の符号と同一の符号を付与し、それらの説明を省略する。また、本ファインダ装置の動作に関しても、ファインダ装置４００と同様な動作についてはその説明を省略する。
【００７８】
図１８及び図１９は、上記図１１及び図１２に対応しており、本実施の形態において、上記第１の実施の形態と異なる構成は、ダハプリズム１４とプリズム１０の間において、固定ゴム３０及び視野枠体１６に代えて配設された弾性視野枠体４０のみである。
【００７９】
弾性視野枠体４０は、固定ゴム３０及び視野枠体１６を弾性部材から成るゴム材で一体的に構成したものであり、その中央部には視野表示開口部１６ａと同一形状の視野表示開口部４２ａが形成されている。したがって、弾性視野枠体４０は、固定ゴム３０及び視野枠体１６と同様の機能を有する。
【００８０】
この弾性視野枠体４０は、ダハプリズム１４と当接する当接面４１ａ及びプリズム１０と当接する当接面４１ｂ（不図示）とを有する板状の当接部４１と、上記視野表示開口部４２ａが形成された板状部材４２とから成る。当接部４１の厚さは、視野表示開口部４２ａにおける観察光の進行方向の長さ、即ち板状部材４２の厚さと異なるように設定される。例えば、当接部４１の厚さを板状部材４２の厚さよりも大きく設定することにより、板状部材４２をダハプリズム１４及びプリズム１０の双方と当接することをなくすことができる。
【００８１】
さらには、当接部４１のゴム硬度が板状部材４２のゴム硬度と異なるように設定してもよい。例えば、当接部４１のゴム硬度を板状部材４２のゴム硬度よりも高く設定することにより、プリズム１０及びダハプリズム１４の破損を防止することができる。
【００８２】
図１９に示すように、弾性視野枠体４０を挟持した第１のファインダ地板１と第２のファインダ地板１３とを係合させてファインダユニット３００を組立てることにより、弾性視野枠体４０の弾性力が偏光方向にチャージされる。このチャージされた弾性視野枠体４０の弾性力によりダハプリズム１４を第２のファインダ地板１３に保持して、弾性視野枠体４０はダハプリズム１４と弾性視野枠体４０の間の空間を密閉する。これにより、上記第１の実施の形態に係るファインダ装置４００による効果と同等の効果を奏することができる。また、このチャージされた弾性視野枠体４０の弾性力により、弾性視野枠体４０はプリズム１０と弾性視野枠体４０の間の空間を密閉する。なお、プリズム１０と弾性視野枠体４０の間の空間には、ファインダ装置のピント面が形成される。これにより、上記第２の実施の形態に係るファインダ装置４００における防塵ゴム３１による効果と同等の効果を奏することができる。
【００８３】
また、第３の実施の形態のファインダ装置によれば、１つの弾性視野枠体４０がダハプリズム１４と弾性視野枠体４０の間の空間、及びプリズム１０と弾性視野枠体４０の間の空間の双方を密閉するので、ダハプリズム１４及びプリズム１０を保持するための部品の数を低減させることができると共に、組立て工数を低減させることができ、もって、ファインダ装置の製造コストが大幅に低減させることができる。
【００８４】
なお、第３の実施の形態において、弾性視野枠体４０は、２つの当接面４１ａ，４１ｂを有するとしたが、当接面４１ａ，４１ｂのうちいずれか一方の当接面を有してもよい。弾性視野枠体４０が当接面４１ａだけを有する場合には、上記第１の実施の形態に係るファインダ装置４００による効果と同等の効果を奏することができ、当接面４１ｂだけを有する場合には、上記第２の実施の形態に係るファインダ装置４００による効果と同等の効果を奏することができる。
【００８５】
また、上記第１乃至第３の実施の形態に係るファインダ装置は、対物光学系ユニット１００及び接眼光学系ユニット２００の２つのプリズム光学系を備えるとしたが、３つ以上のプリズム光学系を備えるものであってもよい。
【００８６】
上記第１の実施の形態における固定ゴム３０、第２の実施の形態における防塵ゴム３１、及び第３の実施の形態における弾性視野枠体４０は、いずれも、ゴム材から構成されているとしたが、対応する空間を密閉する弾性部材であればいかなるものから構成されていてもよい。
【産業上の利用可能性】
【００８７】
本発明の実施の形態に係るファインダ装置は、例えば、コンパクトカメラや簡易型のカメラ一体型ＶＴＲなどに適用することができる。
【図面の簡単な説明】
【００８８】
【図１】本発明の第１の実施の形態に係るファインダ装置が備える対物光学系ユニットの構成を示す分解斜視図である。
【図２】図１における線II−IIに沿う断面図である。
【図３】図１における片寄せ板バネの上面図である。
【図４】図１におけるカムフォロアが係合するカム板の上面図である。
【図５】図２の部分上面図である。
【図６】図５の部分側面図である。
【図７】図５における移動量規制部に第２の対物レンズが当接した状態を示す部分上面図である。
【図８】図７の部分側面図である。
【図９】図５における移動量規制部に第３の対物レンズが当接した状態を示す部分上面図である。
【図１０】図９の部分側面図である。
【図１１】図１の対物光学系ユニットを備えるファインダユニットの構成を示す分解斜視図である。
【図１２】図１１のファインダユニットが組立てられた状態を示す部分断面斜視図である。
【図１３】図１１のファインダユニットの組立方法を説明するために用いられる上面図であり、組立て前の状態を示す。
【図１４】図１１のファインダユニットの組立方法を説明するために用いられる上面図であり、組立て後の状態を示す。
【図１５】図１４のファインダユニットを備えるファインダ装置の分解斜視図である。
【図１６】本発明の第２の実施の形態に係るファインダ装置のファインダユニットの構成を示す分解斜視図である。
【図１７】図１６のファインダユニットが組立てられた状態を示す部分断面斜視図である。
【図１８】本発明の第３の実施の形態に係るファインダ装置のファインダユニットの構成を示す分解斜視図である。
【図１９】図１８のファインダユニットが組立てられた状態を示す部分断面斜視図である。
【符号の説明】
【００８９】
１０  三角プリズム
１３  ファインダ地板
１４  ダハプリズム
１５  接眼レンズ
１６  視野枠体
３０  固定ゴム
１００  対物光学系ユニット
２００  接眼光学系ユニット
３００  ファインダユニット
４００  ファインダ装置
【図１】
2006099019.tif 000003
【図２】
2006099019.tif 000004
【図３】
2006099019.tif 000005
【図４】
2006099019.tif 000006
【図５】
2006099019.tif 000007
【図６】
2006099019.tif 000008
【図７】
2006099019.tif 000009
【図８】
2006099019.tif 000010
【図９】
2006099019.tif 000011
【図１０】
2006099019.tif 000012
【図１１】
2006099019.tif 000013
【図１２】
2006099019.tif 000014
【図１３】
2006099019.tif 000015
【図１４】
2006099019.tif 000016
【図１５】
2006099019.tif 000017
【図１６】
2006099019.tif 000018
【図１７】
2006099019.tif 000019
【図１８】
2006099019.tif 000020
【図１９】
2006099019.tif 000021